(57)【要約】【課題】撮影シーン別の画像の整理及びプリントする画像の選択を効率的に行うことができるプリント画像選択装置及びプリント画像選択方法を提供する。【解決手段】  まず、写真撮影所において撮影が終了し、デジタルカメラ２４からプリント画像選択装置１０にデジタル画像が入力されると、入力された画像に画像処理フィルタが適用され、画像処理が行われる（ステップＳ１０）。次に、撮影に失敗した画像が自動的に排除される（ステップＳ１２）。なお、ステップＳ１２で排除された画像を手動で戻すことができるようにしてもよい。そして、ステップＳ１２で排除されなかったデジタル画像が撮影シーン別に整理される（ステップＳ１４）。なお、上記ステップＳ１４においては、撮影シーンの識別と同時に、画像の天地が検出され、この天地に基づいて同一の撮影シーンに属する画像に自動的に回転処理が施される。その次に、撮影シーン別にデジタル画像の選択が行われる（ステップＳ１６）。これにより、各撮影シーンのベストショットのプリント注文を行うことができる。【選択図】      図２
2006025006.tif 000002
【特許請求の範囲】
【請求項１】
画像表示手段と、
複数のデジタル画像を記憶する記憶手段と、
前記記憶手段に記憶されている複数のデジタル画像を解析して、撮影シーン別の画像グループにグループ分けする撮影シーン分類手段と、
前記分類された撮影シーンに対応するインデックスを前記画像表示手段に表示させるインデックス表示手段と、
前記撮影シーンに対応したインデックスを選択して、前記撮影シーンの画像グループに属する画像を前記画像表示手段に表示させる撮影シーン選択表示手段と、
前記選択された撮影シーンの画像を参照してプリント注文する画像を選択するプリント画像選択指示手段と、
を備えることを特徴とするプリント画像選択装置。
【請求項２】
前記記憶手段は、前記画像を所定の順番で記憶しており、
前記撮影シーン分類手段は、前記記憶手段に記憶されている複数の画像を順番に解析して、撮影シーンが切り替わった画像を検出する撮影シーン検出手段と、前記撮影シーンの切り替わった画像にインデックスを設定するインデックス設定手段とを備え、前記インデックスの設定されたインデックス画像から次のインデックス画像の前の画像までを１つの画像グループとしてグループ分けすることを特徴とする請求項１記載のプリント画像選択装置。
【請求項３】
前記撮影シーン検出手段は、被写体の姿勢、被写体の人物の衣装、セット、又は撮影条件に基づいて撮影シーンの切り替えを検出することを特徴とする請求項１又は２記載のプリント画像選択装置。
【請求項４】
前記各撮影シーンの画像の天地を検出し、前記天地に応じて同一の撮影シーンに属する画像に一括して回転処理を施す画像回転手段を更に備えることを特徴とする請求項１から３のいずれか１項記載のプリント画像選択装置。
【請求項５】
画像表示手段と、
複数のデジタル画像を撮影された撮影シーン別に記憶する記憶手段と、
前記画像表示手段に表示された画像を参照してプリント注文する画像の候補を選択する候補選択手段と、
同一の撮影シーンに属する画像から２枚のプリント候補画像を読み出して、前記画像表示手段の第１及び第２の画像表示領域に並べて表示させ、前記候補選択手段により前記表示された画像の一方が選択されると、前記選択された画像を前記第１の画像表示領域に表示させると共に、第３のプリント候補画像を前記第２の画像表示領域に表示させる画像表示制御手段と、
前記第１の画像表示領域に表示された画像をプリント注文する画像として確定するプリント画像確定指示手段と、
を備えることを特徴とするプリント画像選択装置。
【請求項６】
前記画像表示手段に表示された画像の操作を行う操作手段を更に備え、
前記操作手段は、前記第１及び第２の画像表示領域に表示された画像に同時に操作を行うことを特徴とする請求項５記載のプリント画像選択装置。
【請求項７】
前記操作手段は、前記画像表示手段に表示された画像の拡大・縮小、回転、画像の表示部位の移動を行うことを特徴とする請求項６記載のプリント画像選択装置。
【請求項８】
前記プリント注文する画像に美肌効果又は肌のシミを消す効果を付加する効果付加手段を更に備えることを特徴とする請求項５から７のいずれか１項記載のプリント画像選択装置。
【請求項９】
前記複数のデジタル画像を解析して撮影に失敗した画像を特定し、前記複数のデジタル画像から排除する失敗画像排除手段を更に備えることを特徴とする請求項１から８のいずれか１項記載のプリント画像選択装置。
【請求項１０】
前記失敗画像排除手段は、被写体の人物の目つぶれ、うつむき、又は画像のブレが検出された画像を排除することを特徴とする請求項９記載のプリント画像選択装置。
【請求項１１】
（ａ）  複数のデジタル画像を解析して撮影に失敗した画像を排除するステップと、
（ｂ）  前記記憶手段に記憶されている複数のデジタル画像を解析して、撮影シーン別の画像グループにグループ分けするステップと、
（ｃ）  前記分類された撮影シーンに対応するインデックスを画像表示手段に表示させるステップと、
（ｄ）  前記撮影シーンに対応したインデックスを選択して、前記撮影シーンの画像グループに属する画像を前記画像表示手段に表示させるステップと、
（ｅ）  前記選択された撮影シーンの画像を参照してプリント注文する画像を選択するステップと、
（ｆ）  前記ステップ（ｄ）からステップ（ｅ）を繰り返して、前記画像グループごとにプリント注文する画像を確定するステップと、
を備えることを特徴とするプリント画像選択方法。
【発明の詳細な説明】
【技術分野】
【０００１】
本発明はプリント画像選択装置及びプリント画像選択方法に係り、特に写真館や撮影スタジオ等において撮影された複数の画像からプリントする画像を選択するためのプリント画像選択装置及び方法に関する。
【背景技術】
【０００２】
一般に、写真館や写真スタジオ等の写真撮影所においては、撮影の失敗に備えると共に、顧客が満足できる写真を確実に提供できるように、ほぼ同様のポーズや衣装、セット（以下の説明では、撮影シーンという）での撮影が数ショット〜数十ショット続けて行われる。
【０００３】
従来、上記のような同一の撮影シーンで撮影されたデジタル画像を表示画面に表示させることにより、顧客がその場で画像の出来映えを確認して、プリントする画像を選択することができる技術が提案されている。例えば、特許文献１には、あらかじめ顧客に顧客識別符号を付与しておき、撮影されたデジタル画像を顧客識別符号と関連付けて記録し、記録されたデジタル画像を表示手段に表示し、表示されたデジタル画像の中から所望のものを選択して、選択されたデジタル画像と顧客識別符号とが関連付けられて構成されるオーダ情報を作成する写真撮影受付方法について開示されている。
【特許文献１】特開２００３−３７７９８号公報（００３３〜００３４等）
【発明の開示】
【発明が解決しようとする課題】
【０００４】
しかしながら、上記の特許文献１に開示された技術では、デジタル画像の選択に先立って、撮影されたデジタル画像を撮影シーン別にグループ分けする必要があり、手間がかかるという問題があった。
【０００５】
また、画像を選択する際の表示方法としては、個々の画像を全画面表示して画像ごとに画面を切り替えるものや、画面を分割して画像を一覧表示（サムネイル表示）するものがあるが、類似した画像が多いほど、同じ画像の表示の繰り返しや、表示が小さくて細部が見にくい等のために手間がかかるという問題があった。さらに、撮影された画像の中には、撮影条件の不備（例えば、ストロボが点灯しない等）や、被写体の人物の目つぶれ・うつむき、画像のブレ等により明らかに失敗となる画像が含まれるため、画像の選択の効率化が重要な課題である。
【０００６】
本発明はこのような事情に鑑みてなされたもので、撮影シーン別の画像の整理及びプリントする画像の選択を効率的に行うことができるプリント画像選択装置及びプリント画像選択方法を提供することを目的とする。
【課題を解決するための手段】
【０００７】
前記目的を達成するために請求項１に係るプリント画像選択装置は、画像表示手段と、複数のデジタル画像を記憶する記憶手段と、前記記憶手段に記憶されている複数のデジタル画像を解析して、撮影シーン別の画像グループにグループ分けする撮影シーン分類手段と、前記分類された撮影シーンに対応するインデックスを前記画像表示手段に表示させるインデックス表示手段と、前記撮影シーンに対応したインデックスを選択して、前記撮影シーンの画像グループに属する画像を前記画像表示手段に表示させる撮影シーン選択表示手段と、前記選択された撮影シーンの画像を参照してプリント注文する画像を選択するプリント画像選択指示手段とを備えることを特徴とする。
【０００８】
請求項２に示すように請求項１に係るプリント画像選択装置において、前記記憶手段は、前記画像を所定の順番で記憶しており、前記撮影シーン分類手段は、前記記憶手段に記憶されている複数の画像を順番に解析して、撮影シーンが切り替わった画像を検出する撮影シーン検出手段と、前記撮影シーンの切り替わった画像にインデックスを設定するインデックス設定手段とを備え、前記インデックスの設定されたインデックス画像から次のインデックス画像の前の画像までを１つの画像グループとしてグループ分けすることを特徴とする。
【０００９】
請求項１及び２に係るプリント画像選択装置によれば、撮影画像を撮影シーン別に自動的にグループ分けすることができるので、プリント画像の選択の効率化を図ることができる。
【００１０】
請求項３に示すように請求項１又は２に係るプリント画像選択装置において、前記撮影シーン検出手段は、被写体の姿勢、被写体の人物の衣装、セット、又は撮影条件に基づいて撮影シーンの切り替えを検出することを特徴とする。
【００１１】
また、請求項４に示すように請求項１から３に係るプリント画像選択装置において、前記各撮影シーンの画像の天地を検出し、前記天地に応じて同一の撮影シーンに属する画像に一括して回転処理を施す画像回転手段を更に備えることを特徴とする。
【００１２】
請求項４に係るプリント画像選択装置によれば、撮影シーンごとに天地制御を一括してできるので、さらにプリント画像の選択の効率化を図ることができる。
【００１３】
請求項５に係るプリント画像選択装置は、画像表示手段と、複数のデジタル画像を撮影された撮影シーン別に記憶する記憶手段と、前記画像表示手段に表示された画像を参照してプリント注文する画像の候補を選択する候補選択手段と、同一の撮影シーンに属する画像から２枚のプリント候補画像を読み出して、前記画像表示手段の第１及び第２の画像表示領域に並べて表示させ、前記候補選択手段により前記表示された画像の一方が選択されると、前記選択された画像を前記第１の画像表示領域に表示させると共に、第３のプリント候補画像を前記第２の画像表示領域に表示させる画像表示制御手段と、前記第１の画像表示領域に表示された画像をプリント注文する画像として確定するプリント画像確定指示手段とを備えることを特徴とする。
【００１４】
請求項５に係るプリント画像選択装置によれば、操作者が画像を並べて見比べながら、プリントする画像を選択することができる。
【００１５】
請求項６に示すように請求項５に係るプリント画像選択装置において、前記画像表示手段に表示された画像の操作を行う操作手段を更に備え、前記操作手段は、前記第１及び第２の画像表示領域に表示された画像に同時に操作を行うことを特徴とする。
【００１６】
また、請求項７に示すように請求項６に係るプリント画像選択装置において、前記操作手段は、前記画像表示手段に表示された画像の拡大・縮小、回転、画像の表示部位の移動を行うことを特徴とする。
【００１７】
請求項６及び７に係るプリント画像選択装置によれば、両方の画像の同一部位を拡大して見比べることができ便利である。
【００１８】
請求項８に示すように請求項５から７に係るプリント画像選択装置において、前記プリント注文する画像に美肌効果又は肌のシミを消す効果を付加する効果付加手段を更に備えることを特徴とする。
【００１９】
請求項８に係るプリント画像選択装置によれば、プリント注文する画像に所望の加工を施すことができる。
【００２０】
請求項９に示すように請求項１から８に係るプリント画像選択装置において、前記複数のデジタル画像を解析して撮影に失敗した画像を特定し、前記複数のデジタル画像から排除する失敗画像排除手段を更に備えることを特徴とする。
【００２１】
また、請求項１０に示すように請求項９に係るプリント画像選択装置において、前記失敗画像排除手段は、被写体の人物の目つぶれ、うつむき、又は画像のブレが検出された画像を排除することを特徴とする。
【００２２】
請求項９及び１０に係るプリント画像選択装置によれば、撮影に失敗したことが明らかな画像をあらかじめ排除することができ、さらにプリント画像の選択の効率化を図ることができる。
【００２３】
請求項１１に係るプリント画像選択方法は、（ａ）複数のデジタル画像を解析して撮影に失敗した画像を排除するステップと、（ｂ）前記記憶手段に記憶されている複数のデジタル画像を解析して、撮影シーン別の画像グループにグループ分けするステップと、（ｃ）前記分類された撮影シーンに対応するインデックスを画像表示手段に表示させるステップと、（ｄ）前記撮影シーンに対応したインデックスを選択して、前記撮影シーンの画像グループに属する画像を前記画像表示手段に表示させるステップと、（ｅ）前記選択された撮影シーンの画像を参照してプリント注文する画像を選択するステップと、（ｆ）前記ステップ（ｄ）からステップ（ｅ）を繰り返して、前記画像グループごとにプリント注文する画像を確定するステップとを備えることを特徴とする。
【発明の効果】
【００２４】
本発明によれば、撮影シーン別の画像の整理を効率化することができると共に、プリントする画像の選択を効率的に行うことができる。
【発明を実施するための最良の形態】
【００２５】
以下、添付図面に従って本発明に係るプリント画像選択装置及びプリント画像選択方法の好ましい実施の形態について説明する。図１は、本発明の一実施形態に係るプリント画像選択装置の主要構成を示すブロック図である。
【００２６】
図１に示すように、本実施形態のプリント画像選択装置１０は、ＣＰＵ１２と、メモリ１４と、記録装置１６と、表示装置１８と、入力装置２０と、通信Ｉ／Ｆ２２とを含んでおり、写真館や撮影スタジオ等の写真撮影所に設置される。
【００２７】
ＣＰＵ１２は、入力装置２０等からの信号の入力に基づいてプリント画像選択装置１０の各装置の動作を制御する中央処理装置である。
【００２８】
メモリ１４は、ＣＰＵ１２が処理するプログラム及び制御に必要な各種データ等が格納されるＲＯＭや、ＣＰＵ１２が各種の演算処理等を行う作業用領域となるＳＤＲＡＭ等を含む装置である。
【００２９】
記録装置１６は、デジタル画像を記録する装置である。
【００３０】
表示装置１８は、デジタル画像を表示するモニタである。表示装置１８としては、例えば、ＣＲＴやＬＣＤ等を用いることができる。
【００３１】
入力装置２０は、表示装置１８に表示されたデジタル画像に所望の操作を行うための装置であり、表示装置（モニタ）１８の表面に設けられたタッチパネルである。なお、入力装置２０としては、入力ペンやマウス等のポインティングデバイス、キーボード等を用いることもできる。
【００３２】
通信Ｉ／Ｆ２２は、デジタルカメラ２４に接続するための機器で、所定のプロトコルにしたがってデジタル画像データの受信を行う。
【００３３】
次に、プリント画像選択方法について説明する。図２は、本発明の一実施形態に係るプリント画像選択方法を示すフローチャートである。
【００３４】
まず、写真撮影所において撮影が終了し、デジタルカメラ２４からプリント画像選択装置１０にデジタル画像が入力されると、入力された画像に画像処理フィルタが適用され、画像処理が行われる（ステップＳ１０）。ステップＳ１０においては、画像の収差の補正や明度、輝度、コントラストの調整が行われる。
【００３５】
次に、撮影に失敗した画像が自動的に排除される（ステップＳ１２）。ステップＳ１２においては、画像解析により撮影条件の不備（例えば、ストロボが点灯しなかった場合等）や、被写体の人物の目つぶれ・うつむき等により明らかに失敗となる画像、及びデジタル画像処理による補正が不可能なレベルの画像（例えば、画像のブレ等）が検出されて排除される。なお、ステップＳ１２で排除された画像を手動で戻すことができるようにしてもよい。
【００３６】
そして、ステップＳ１２で排除されなかったデジタル画像が撮影シーン別に整理される（ステップＳ１４）。本実施形態においては、デジタル画像は撮影された順番に記録装置１６に記録されており、画像処理フィルタにより被写体の姿勢や、被写体の人物の衣装、セット（背景の変化等）、撮影条件等が識別され、撮影シーンの切り替わる先頭の画像にインデックスが設定される。なお、上記ステップＳ１４においては、撮影シーンの識別と同時に、画像の天地が検出され、この天地に基づいて同一の撮影シーンに属する画像に自動的に回転処理が施される。
【００３７】
その次に、撮影シーン別にデジタル画像の選択が行われる（ステップＳ１６）。これにより、各撮影シーンのベストショットのプリント注文を行うことができる。
【００３８】
次に、デジタル画像の選択方法について、図３〜図６を参照して説明する。図３は、プリント画像選択装置における画像選択画面の例を示す図である。
【００３９】
図３に示す画像選択画面３０は、主としてプリント画像選択時のＧＵＩとして用いられるもので、撮影シーンリスト表示領域３２と、画像リスト表示領域３４と、プリント候補表示領域３６と、各種の操作ボタンを備える操作ボックス３８等を有している。
【００４０】
撮影シーンリスト表示領域３２は、上記ステップＳ１４においてインデックスが設定された画像が一覧表示（アイコン表示）される領域である。撮影シーンリスト表示領域３２の図中下端の符号４０はスクロールボタンである。スクロールボタン４０は、撮影シーンリスト表示領域３２のアイコンをスクロール表示させるためのボタンである。
【００４１】
画像リスト表示領域３４は、操作者により選択された撮影シーンの画像が一覧表示（アイコン表示）される領域である。画像リスト表示領域３４の図中右端の符号４２はスクロールボタンである。スクロールボタン４２は、画像リスト表示領域３４に表示されているアイコンをスクロール表示させるためのボタンである。
【００４２】
プリント候補表示領域３６は、プリント候補画像が２枚並べて表示される領域である。図中左側の符号３６Ａはプリント候補画像を表示するための第１候補表示領域（「お気に入り」）であり、右側の符号３６Ｂはプリント候補画像と比較される他の画像を表示するための第２候補表示領域である。
【００４３】
第１候補表示領域３６Ａの図中下方には、全画面表示ボタン４４が配置されている。また、第１、第２候補表示領域３６Ａ及び３６Ｂの図中下方には、画像ナンバー表示領域４６Ａ及び４６Ｂがそれぞれ配置されている。
【００４４】
操作ボックス３８の操作ボタンは、図中上方から順に、入れ替えボタン４８、画像操作ボタン５０、候補確定ボタン５２である。画像操作ボタン５０は、プリント候補表示領域３６に表示されている画像を同時に操作することができるボタンであり、画像を所望の角度回転させるための画像回転ボタン５４、画像を拡大／縮小表示させるための拡大ボタン５６及び縮小ボタン５８、画像を拡大表示させた場合に画面上に表示される部分を変えるための十字ボタン６０、画像の回転、拡大／縮小等の操作をリセットするためのリセットボタン６２を備えている。
【００４５】
なお、図中左下の符号６６はグループ分けボタンである。グループ分けボタン６６については後述する。
【００４６】
以下、画像選択画面３０を操作してプリント画像を選択する方法について説明する。まず、撮影が終了してデジタル画像がプリント画像選択装置１０に入力され、画像選択画面３０において操作者（写真撮影所の店員又は顧客）により撮影シーンリスト表示領域３２のアイコン６４の１つがタップ（クリック）されると、タップされたアイコン６４に対応する撮影シーンが選択される。
【００４７】
すると、画像リスト表示領域３４に選択された撮影シーンに属する画像が一覧表示されるとともに、プリント候補表示領域３６の第１、第２候補表示領域３６Ａ及び３６Ｂに選択された撮影シーンの先頭の画像（インデックスの設定された画像）及び２番目の画像がそれぞれ表示される。
【００４８】
その次に、プリント候補表示領域３６に表示されている２枚の画像を見比べてプリント画像の選択を行う。第１候補表示領域３６Ａの画像を選択する場合には、特に操作を要しないが、第２候補表示領域３６Ｂの画像を選択する場合には、入れ替えボタン４８をタップすることにより第１候補表示領域３６Ａと第２候補表示領域３６Ｂの画像が入れ替えられる。そして、さらに他の画像と見比べたい場合には、画像リスト表示領域３４に表示されている同一撮影シーンの他の画像のアイコン６８を第２候補表示領域３６Ｂにドラッグすると、ドラッグされたアイコン６８に対応する画像が第２候補表示領域３６Ｂに表示される。
【００４９】
上記の作業を繰り返して、同一撮影シーンの画像を見比べ終わってプリント画像が確定されると、撮影シーンリスト表示領域３２の他のアイコンをタップすることにより、他の撮影シーンの画像群についても同様の選択作業を行う。そして、操作者により確定ボタン５２がタップされると、各撮影シーンのプリント画像のリストが表示される。
【００５０】
なお、第１候補表示領域や第２候補表示領域の数を変更可能にして同一の撮影シーンから選択するプリント画像の数を変更できるようにしてもよい。
【００５１】
図４は、プリント注文画面の例を示す図である。図４に示すように、プリント注文画面７０には、各撮影シーンのプリント注文される第１候補画像７２が表示されている。図中右側には、注文ボタン７４、戻るボタン７６及びスクロールバー７８が示されている。
【００５２】
注文ボタン７４は、プリント注文画面７０に表示されている第１候補画像７２のプリント注文を行うためのボタンである。また、戻るボタン７６は、前画面に戻るためのボタンである。スクロールバー７８は、第１候補画像７２をスクロール表示させるためのボタンである。
【００５３】
なお、プリント候補画像の入れ替えや選択の操作は画像やアイコンのダブルタップ（ダブルクリック）によって行うようにしてもよい。
【００５４】
また、本実施形態においては、プリント注文を行う前に、全画面表示して画像の細部を確認したり、画像に所望の効果を加えたりすることができる。
【００５５】
図５は、全画面表示画面の例を示す図である。図５に示す全画面表示画面８０は、図３の画像選択画面３０の第１候補表示領域３６Ａの下部に示されている全画面表示ボタン４４、又は図４のプリント注文画面７０の第１候補画像７２をタップ又はダブルタップすることにより表示される画面である。
【００５６】
図５に示す全画面表示画面８０の左側には、第１候補画像の全画面表示画像８２が表示されている。図中右側には、付加価値機能ボタン８４、画像操作ボタン５０及び戻るボタン８６が示されている。
【００５７】
付加価値機能ボタン８４は、全画面表示画像８２に所定の効果を加えるためのボタンである。画像操作ボタン５０については、画像選択画面３０と同様の構成であるので説明を省略する。また、戻るボタン８６は、前画面に戻るためのボタンである。
【００５８】
操作者は、全画面表示画面８０により、プリント注文する候補の画像の細部を確認できる。また、付加価値機能ボタン８４により、画像に特殊効果（例えば、美肌効果や肌のシミを消す等）を加えることができる。
【００５９】
また、上記の実施形態においては、自動的にデジタル画像を撮影シーン別にグループ分けするようにしたが、この自動的に生成された撮影シーンごとの画像のグループを再編成することができる。
【００６０】
図６は、画像のグループ分け画面の例を示す図である。図６に示すグループ分け画面９０は、図３の画像選択画面３０のグループ分けボタン６６をタップすることにより表示される画面である。
【００６１】
図６に示すグループ分け画面９０の左側の表示領域９２には、撮影された画像９４が撮影順に表示されている。なお、上記のステップＳ１４において、インデックスの設定された画像については、枠の色の違い等により区別できるようになっている。
【００６２】
図中右側には、インデックス設定ボタン９６、インデックス解除ボタン９８、画像回転ボタン１００、戻るボタン１０２、スクロールバー１０４が示されている。
【００６３】
インデックス設定ボタン９６は、画像９４のうちの所望の画像をタップ等により選択してインデックスを設定するためのボタンである。
【００６４】
インデックス解除ボタン９８は、直前に設定されたインデックス、又はタップ等により選択された画像９４のインデックスを解除するためのボタンである。
【００６５】
画像回転ボタン１００は、画像を一括して回転させるためのボタンである。操作者により、画像９４のうちの１つがタップ等により選択され、画像回転ボタン１００が操作されると、その画像の属するグループの画像が一括して回転される。
【００６６】
戻るボタン１０２は、前画面に戻るためのボタンである。また、スクロールバー１０４は、画像９４をスクロール表示させるためのボタンである。
【図面の簡単な説明】
【００６７】
【図１】本発明の一実施形態に係るプリント画像選択装置の主要構成を示すブロック図
【図２】本発明の一実施形態に係るプリント画像選択方法を示すフローチャート
【図３】プリント画像選択装置における画像選択画面の例を示す図
【図４】プリント注文画面の例を示す図
【図５】全画面表示画面の例を示す図
【図６】画像のグループ分け画面の例を示す図
【符号の説明】
【００６８】
１０…プリント画像選択装置、１２…ＣＰＵ、１４…メモリ、１６…記録装置、１８…表示装置、２０…入力装置、２２…通信Ｉ／Ｆ、２４…カメラ
【図１】
2006025006.tif 000003
【図２】
2006025006.tif 000004
【図３】
2006025006.tif 000005
【図４】
2006025006.tif 000006
【図５】
2006025006.tif 000007
【図６】
2006025006.tif 000008